(57)【要約】【課題】フコキサンチン、フコステロール、タンパク質等の健康機能性成分を健康食品、化粧品、医薬品等への産業利用するために、それらを簡便且つ効率的に取得する技術を提供すること。【解決手段】褐藻類の藻体を、少なくとも窒素およびリンを添加した培地中、光合成有効光量子束密度が４５０μｍｏｌ・ｍ−２・ｓ−１以下の条件で培養することを特徴とする健康機能性成分高含有褐藻類の製造方法。【選択図】なし【特許請求の範囲】
【請求項１】
褐藻類の藻体を、少なくとも窒素およびリンを添加した培地中、光合成有効光量子束密度が４５０μｍｏｌ・ｍ−２・ｓ−１以下の条件で培養することを特徴とする健康機能性成分高含有褐藻類の製造方法。
【請求項２】
健康機能性成分が、フコキサンチン、フコステロールおよびタンパク質からなる群から選ばれる１種以上である請求項１記載の健康機能性成分高含有褐藻類の製造方法。
【請求項３】
培地が、１Ｌ当たり窒素を１００〜５０００μｍｏｌおよびリンを０.１〜２００μｍｏｌ含有する海水または人工海水である請求項１または２に記載の健康機能性成分高含有褐藻類の製造方法。
【請求項４】
褐藻類が、モズク類、ホンダワラ類、ワカメ類またはコンブ類である請求項１ないし３の何れかに記載の健康機能性成分高含有褐藻類の製造方法。
【請求項５】
褐藻類が、オキナワモズクである請求項１ないし４の何れかに記載の健康機能性成分高含有褐藻類の製造方法。
【請求項６】
湿重量１ｇあたり、８０〜５００μｇのフコキサンチン、５０〜５００μｇのフコステロールおよび６〜６０ｍｇのタンパク質からなる群から選ばれる健康機能性成分の１種以上を含有することを特徴とする健康機能性成分高含有オキナワモズク。
【発明の詳細な説明】
【技術分野】
【０００１】
本発明は、健康機能性成分の含有量を高めた褐藻類の製造方法に関し、更に詳細には、天然または養殖した褐藻類に通常含まれるよりも、フコキサンチン、フコステロール、タンパク質等の健康機能性成分の含量を高めた褐藻類の製造方法に関する。
【背景技術】
【０００２】
褐藻類には、健康機能性成分として硫酸化多糖類であるフコイダン、カロテノイド類のフコキサンチン、ステロール類のフコステロール、各種タンパク質等が含まれている。これらのうち、フコキサンチンは抗酸化作用、抗肥満作用、抗ガン作用等を示し、フコステロールは血中コレステロール低下作用等が期待されている。また、各種タンパク質は消化酵素により消化されることで、血圧上昇抑制作用に関わるＡＣＥ阻害作用を示すことが知られている。これらの健康機能性成分は、健康食品、化粧品、医薬品等への配合が検討されている。
【０００３】
これまで、上記の健康機能性成分のうち、フコキサンチンおよびフコステロールは、褐藻類の藻体から抽出されていたが、褐藻類の藻体を原料とする場合には、フコキサンチンおよびフコステロールの含有量が産地、天候等により大きく影響を受け、変動することがあり、安定にフコキサンチンやフコステロールを抽出、供給できにくいという問題があった。
【０００４】
また、フコキサンチンやフコステロールを、褐藻類の盤状体および糸状体から抽出する方法も報告されているが（特許文献１）、この技術を利用するためには高度な培養技術と大規模な培養装置が要求される。
【特許文献１】特開２００４−３５５２８号公報
【発明の開示】
【発明が解決しようとする課題】
【０００５】
従って、フコキサンチン、フコステロール、タンパク質等の健康機能性成分を健康食品、化粧品、医薬品等への産業利用するために、それらを簡便且つ効率的に取得する技術が求められており、本発明はこのような技術の提供をその課題とする。
【課題を解決するための手段】
【０００６】
本発明者らは、上記課題を解決するために鋭意研究した結果、褐藻類の藻体を、特定の条件下で更に培養することにより、藻体中のフコキサンチン、フコステロール、タンパク質等の健康機能性成分の含有量が著しく高められることを見出し、本発明を完成した。
【０００７】
すなわち、本発明は褐藻類の藻体を、少なくとも窒素およびリンを添加した培地中、光合成有効光量子束密度が４５０μｍｏｌ・ｍ−２・ｓ−１以下の条件で培養することを特徴とする健康機能性成分高含有褐藻類の製造方法である。
【０００８】
また、本発明は湿重量１ｇあたり、８０〜５００μｇのフコキサンチン、５０〜５００μｇのフコステロールおよび６〜６０ｍｇのタンパク質からなる群から選ばれる健康機能性成分の１種以上を含有することを特徴とする健康機能性成分高含有オキナワモズクである。
【発明の効果】
【０００９】
本発明は、簡便且つ効率的に、フコキサンチン、フコステロール、タンパク質等の健康機能性成分を高含有する褐藻類を製造することができる。
【００１０】
従って、この製造方法により得られる健康機能性成分高含有褐藻類は、フコキサンチン、フコステロール、タンパク質等の抽出原料に好ましいものである。
【００１１】
また、この健康機能性成分高含有褐藻類は、そのまま健康食品（生食用）として、あるいは乾燥、粉砕等の処理の後、フコキサンチン、フコステロール、タンパク質等の健康機能性を期待した健康食品、化粧品等の原料としても利用することもできる。
【発明を実施するための最良の形態】
【００１２】
本発明の健康機能性成分高含有褐藻類の製造方法（以下、単に「本発明製法」という）は、褐藻類の藻体を、少なくとも窒素およびリンを添加した培地において、光合成有効光量子束密度が４５０μｍｏｌ・ｍ−２・ｓ−１以下の条件で培養することを特徴とするものである。なお、本明細書に記載の光合成有効光量子束密度はいずれも球面光量計で測定された値である。
【００１３】
本発明製法に使用される褐藻類としては、フコキサンチン、フコステロールおよびタンパク質からなる群から選ばれる健康機能性成分の１種以上を含有するものであれば特に種類は限定されない。このような褐藻類としては、オキナワモズク、モズク、フトモズク等のモズク類、ヒジキ、ホンダワラ、アカモク等のホンダワラ類、ワカメ、ナンブワカメ等のワカメ類、マコンブ、ガゴメコンブ等のコンブ類等が挙げられる。本発明製法においてはこれらの褐藻類の天然由来の藻体または養殖で得られた藻体のいずれも使用することができる。なお、本明細書において藻体とは、肉眼で確認可能な程度まで生育した褐藻類の胞子体または配偶体をいう。
【００１４】
上記褐藻類の藻体が培養される、少なくとも窒素およびリンを添加した培地は、褐藻類が生育できるものであれば特に限定されないが、例えば、滅菌されていてもよい海水または人工海水に、窒素およびリンを添加したものが好ましい。また、前記培地に含まれる窒素およびリンの量としては、培地１Ｌに対して、窒素が１００〜５０００μｍｏｌ、好ましくは５００〜３０００μｍｏｌおよびリンが０.１〜２００μｍｏｌ、好ましくは０.１〜１００μｍｏｌとなる量である。
【００１５】
上記培地を用いた褐藻類の藻体の培養は、光合成有効光量子束密度（ＰＰＦＤ）が４５０μｍｏｌ・ｍ−２・ｓ−１以下の条件で行えばよい。本発明製法においては、光合成有効光量子束密度以外の条件（明暗周期、培養温度、培養期間等）については従来の褐藻類の培養等の条件を用いることができる。より具体的な培養条件としては、光合成有効光量子束密度を４５０μｍｏｌ・ｍ−２・ｓ−１以下、好ましくは２〜２５０μｍｏｌ・ｍ−２・ｓ−１、より好ましくは５〜５８μｍｏｌ・ｍ−２・ｓ−１、明暗周期を１２時間、培養温度を２０〜２５℃、培養期間を１日〜１ヶ月程度で行えばよい。
【００１６】
本発明製法の好ましい一態様を示せば次の通りである。オキナワモズクの藻体２０ｇを、滅菌海水１Ｌに窒素を１５００〜５０００μｍｏｌおよびリンを０.１〜２００μｍｏｌ添加した、水温２３℃程度の培地において、光合成有効光量子束密度を５〜４５０μｍｏｌ・ｍ−２・ｓ−１とし、明暗周期を１２時間とし、５日間程度培養する。
【００１７】
上記培地で培養されて得られる褐藻類の藻体は、フコキサンチン、フコステロールおよびタンパク質からなる群から選ばれる健康機能性成分の１種以上の含有量が高くなっているものである。具体的には、本発明製法で処理した褐藻類のフコキサンチン含量は、採取直後の藻体に比べ、２〜１００倍程度に増加する。また、フコステロール含量は、同じく２〜１５０倍程度に増加する。更に、タンパク質は、同じく２〜１５倍程度に増加する。従って、例えば、オキナワモズクの場合、本発明方法により藻体の湿重量１ｇあたり、フコキサンチンを８０〜５００μｇ、フコステロールを５０〜５００μｇおよびタンパク質を６〜６０ｍｇ含有するものを得ることができる。
【００１８】
斯くして製造される健康機能性成分高含有褐藻類は、そのまま健康食品（生食用）として、あるいはフコキサンチン、フコステロールおよびタンパク質等の健康機能性成分の抽出原料に好適である。また、健康機能性成分高含有褐藻類は、そのままあるいは乾燥、粉砕等の処理の後、フコキサンチン、フコステロールおよびタンパク質等の健康機能性を期待した健康食品、化粧品等の原料として利用することもできる。
【実施例】
【００１９】
以下、実施例を挙げて本発明を更に説明するが、本発明はこれら実施例に何ら制限されるものではない。
【００２０】
実  施  例  １
健康機能性成分高含有褐藻類の製造（１）：
沖縄県南城市の養殖漁場から採取したオキナワモズク藻体を実験藻体とし、その２０ｇ（湿重量）を１０００ｍｌの滅菌海水の入った１Ｌフラスコに入れ、以下の条件で５日間培養を行った（各試験区ｎ＝３）。培養後、藻体を取り出し、湿重量測定、フコキサンチン定量分析（ＨＰＬＣ法）、フコステロール定量分析（ＧＣ−ＭＳ法）およびタンパク質量分析（ケルダール法）を行った。各条件における藻体重量の変化を表１に、各条件下での培養後のフコキサンチン量を表２に、培養後のフコステロール量を表３に、培養後のタンパク質量を表４に示した。なお、培養前の藻体のフコキサンチン量は１５.５±６.１（μｇ／ｇ湿重量、Ｍｅａｎ±Ｓ.Ｄ.）であり、フコステロール量は１５.３±４.５（μｇ／ｇ湿重量、Ｍｅａｎ±Ｓ.Ｄ.）、タンパク質量は０.４１±０.０１（ｇ／１００ｇ湿重量、Ｍｅａｎ±Ｓ.Ｄ.）であった。
【００２１】
（培養条件）
培養温度：２３℃（２２.０−２４.１）℃
明暗周期：１２時間
照度（光合成有効光量子束密度（球面光量子計）：ＰＰＦＤ）：
５、５８、４４７μｍｏｌ・ｍ−２・ｓ−１
施肥量：
窒素濃度：０、１５００、３０００μｍｏｌ／Ｌ
リン濃度：窒素濃度の１／３０量
（フコキサンチン定量分析方法）
褐藻類５ｇを細切し、アセトン５０ｍＬを加え、室温で２時間抽出した。抽出液をろ過し、５０ｍＬに定容した。定容した抽出液のうち、１ｍＬをＯＤＳカラムに通液し、そのメタノール溶出部についてＨＰＬＣによるフコキサンチン定量分析を行った。
ＨＰＬＣ条件：
カラム  ：  Ｈｙｐｅｒｓｉｌ ＯＤＳ ４ｘ１２５ｍｍ（ａｇｉｌｅｎｔ社製）
移動相  ：  メタノール：水＝７０：３０（０分）−メタノール（２５分）
流速    ：  ０.４ｍＬ／ｍｉｎ
検出波長：  ４４０ｎｍ
注入量  ：  １０μＬ
（フコステロール定量分析方法）
褐藻類５ｇを細切し、アセトン５０ｍＬを加え、室温で１８時間抽出した。抽出液をろ過し、５０ｍＬに定容した。定容した抽出液のうち、０.５ｍＬを濃縮し、１Ｍの水酸化ナトリウム−メタノール溶液を１ｍＬ加え、６０℃で３０分加熱して加水分解を行った。反応後、ヘキサン１ｍＬで３回抽出し、ヘキサン抽出液についてＧＣ−ＭＳによるフコステロール定量分析を行った。
ＧＣ−ＭＳ条件：
カラム      ：  ＤＢ−５ｍｓ０.２５ｍｍｘ３０ｍ（膜厚０.２５μｍ）
（Ｊ＆Ｗ  Ｓｃｉｅｎｔｉｆｉｃ社製）
キャリアーガス：ヘリウム
カラム流速  ：  ２ｍＬ／分
カラム温度  ：  ５０℃（ホールド１分）−  １５０℃（２０℃／分）−２９０℃
（７℃／分、ホールド１４分）
気化室温度  ：  ２９０℃
注入量      ：  １μＬ
【００２２】
（湿重量測定結果）
【表１】
2009072132.tif 000002
【００２３】
表１に示すように、培養後のオキナワモズク藻体重量は、高施肥量になるに従って減少が認められた。また、低照度になるほど藻体重量の減少傾向が認められ、特に高施肥量群で照度の影響が大きくなる傾向が見られた。
【００２４】
（フコキサンチン定量分析結果）
【表２】
2009072132.tif 000003
【００２５】
表２に示すように、培養後のオキナワモズク藻体中のフコキサンチン含有量は、高施肥量になるに従って増加が認められた。また、低照度になるほどフコキサンチン含有量の増加傾向が認められ、特に高施肥量群で照度の影響が大きくなる傾向が見られた。
【００２６】
（フコステロール定量分析結果）
【表３】
2009072132.tif 000004
【００２７】
表３に示すように、培養後のオキナワモズク藻体中のフコステロール含有量は、高施肥量になるに従って増加が認められた。また、低照度になるほど含量の増加傾向が認められ、特に高施肥量群で照度の影響が大きくなる傾向が見られた。
【００２８】
（タンパク質分析の結果）
【表４】
2009072132.tif 000005
【００２９】
表４に示すように、培養後のオキナワモズク藻体中のタンパク質量は、高施肥量になるに従って増加が認められた。
【００３０】
以上の結果（表１〜４）から、施肥量を多く、照度を低くするほど藻体重量は減少する一方、藻体中のフコキサンチン、フコステロールおよびタンパク質の含有量が増加することが判明した。また、最高施肥量・最低照度区（施肥量：３０００μｍｏｌ、照度：５μｍｏｌｍ−２ｓ−１）においてフコキサンチンおよびフコステロールの含有量は最大となり、それぞれ１２１μｇ／ｇ（湿重量）および１９７μｇ／ｇ（湿重量）であった。
【００３１】
実  施  例  ２
健康機能性成分高含有褐藻類の製造（２）：
沖縄県伊是名村の養殖漁場から採取したオキナワモズク藻体を実験藻体とし、その２０ｇを１０００ｍｌの滅菌海水の入った１Ｌフラスコに入れ、以下の条件で５日間培養を行った（各試験区ｎ＝３）。培養後の藻体について実施例１と同様にして湿重量測定（表５）、フコキサンチン定量分析およびフコステロール定量分析を行った。結果を各条件における藻体重量の変化を表５に、各条件下での培養後のフコキサンチン量を表６に、培養後のフコステロール量を表７に、培養後のタンパク質量を表８示した。なお、培養前の藻体のフコキサンチン量は、２.９±０.４（μｇ／ｇ湿重量、Ｍｅａｎ±Ｓ.Ｄ.）であり、フコステロール量は、３.７±０.７（μｇ／ｇ湿重量、Ｍｅａｎ±Ｓ.Ｄ.）、タンパク質量は、０.２９±０.０１（ｇ／１００ｇ湿重量、Ｍｅａｎ±Ｓ.Ｄ.）であった。
【００３２】
（培養条件）
培養温度：２３℃（２２.０−２４.１）℃
明暗周期：１２時間
照度（光合成有効光量子束密度：ＰＰＦＤ）：５、５８μｍｏｌｍ−２ｓ−１
施肥量：
窒素濃度：０、１００、５００、１５００μｍｏｌ／Ｌ
リン濃度：窒素の濃度の１／３０量
（フコキサンチンおよびフコステロール定量分析）
褐藻類５ｇを細切し、アセトン５０ｍＬを加え、室温で２回抽出（各２時間）した。抽出液をろ過し、１００ｍＬに定容した。以降の操作は実施例１と同様に行った。
【００３３】
（湿重量測定結果）
【表５】
2009072132.tif 000006
【００３４】
表５に示すように、培養後のモズク藻体重量は、高施肥量になるに従って減少が認められた。また、実施例１で行った高施肥・高照度の条件を採用しなかったので、照度の影響は顕著ではなく、各施肥量群の藻体重量は、低照度区および中照度区で大きな差は見られなかった。
【００３５】
（フコキサンチン定量分析結果）
【表６】
2009072132.tif 000007
【００３６】
表６に示すように、培養後のオキナワモズク藻体中のフコキサンチン含有量は、高施肥量になるに従って含量の増加が認められた。この実施例においては実施例１に示した高施肥・高照度の条件を採用しなかったので、照度の影響は顕著ではなかったが。施肥量１５００μｍｏｌ、低、中照度の条件においてフコキサンチンが９０〜１００μｇ／ｇ（湿重量）の濃度まで上昇した。
【００３７】
（フコステロール定量分析結果）
【表７】
2009072132.tif 000008
【００３８】
表７に示すように、培養後のオキナワモズク藻体中のフコステロール含有量は、高施肥量になるに従って増加が認められた。この実施例においては実施例１に示した高施肥・高照度の条件を採用しなかったので、照度の影響は顕著ではなかったが、施肥量１５００μｍｏｌ、低、中照度の条件においてフコステロールが１７０〜２００μｇ／ｇ（湿重量）の濃度まで上昇した。
【００３９】
（タンパク質分析の結果）
【表８】
2009072132.tif 000009
【００４０】
表８に示すように、培養後のオキナワモズク藻体中のタンパク質量は、高施肥量になるに従って増加が認められた。また、施肥量５００μｍｏｌ以上の群では、高照度の区で増加傾向を示した。実施例１と対応する条件（表４、施肥量１５００μｍｏｌ、低、中照度区）においてタンパク質量が同程度まで増加し、再現性が認められた。
【００４１】
以上の結果（表５〜８）から、施肥量を多くするほど藻体重量は減少する一方、藻体中のフコキサンチン、フコステロールおよびタンパク質の含有量が増加することが判明した。  
【００４２】
実施例２では、最高施肥量区（施肥量：１５００μｍｏｌ）においてフコキサンチンおよびフコステロールの含有量が最大となった。フコキサンチンは１０１μｇ／ｇ（湿重量）、フコステロールは２０５μｇ／ｇ（湿重量）であった。
【００４３】
実施例１および実施例２では異なる養殖漁場から採取したオキナワモズク藻体を試料としたため、産地によってフコキサンチンおよびフコステロールの含有量が異なっており、量も少なかった。しかし、これらの藻体を高施肥量条件で培養した結果、フコキサンチンは１００〜１２０μｇ／ｇ（湿重量）、フコステロールは１７０〜２００μｇ／ｇ（湿重量）まで大きく増加させることができた。
【００４４】
藻体中のフコキサンチンおよびフコステロールの含有量が増加する高施肥量条件においては、藻体中のタンパク質量も同時に増加することが判明した（１.１０〜１.６４ｇ／１００ｇ（湿重量））。これにより、本発明製法で製造される藻体は、タンパク質も豊富に含む栄養価の高い食品となることが示された。
【００４５】
また、オキナワモズクに含まれるタンパク質は、消化酵素により消化されることで、血圧上昇抑制作用に関わるＡＣＥ阻害作用を示すことが判明している。本発明製法で製造される藻体はフコキサンチンおよびフコステロールだけでなく、タンパク質も豊富に含むため、ＡＣＥ阻害作用による血圧上昇抑制作用も期待できる。
【００４６】
実  施  例  ３
健康機能性成分高含有褐藻類の製造（３）：
沖縄県宜野座沿岸に自生するホンダワラ属海藻を実験藻体とし、その２０ｇを１０００ｍｌの滅菌海水の入った１Ｌフラスコに入れ、以下の条件で５日間培養を行った（各試験区ｎ＝３）。培養後の藻体について実施例１と同様にして湿重量測定、フコキサンチン定量分析を行った。各条件における藻体重量の変化を表９に、各条件下での培養後のフコキサンチン量を表１０に示した。なお、培養前の藻体のフコキサンチン量は、７３.０±５.９（μｇ／ｇ湿重量、Ｍｅａｎ±Ｓ.Ｄ.）であった。
【００４７】
（培養条件）
培養温度：２３℃（２２.０−２４.１）℃
明暗周期：１２時間
照度（光合成有効光量子束密度：ＰＰＦＤ）：５μｍｏｌｍ−２ｓ−１
施肥量：
窒素濃度：３０００、４５００μｍｏｌ／Ｌ
リン濃度：窒素の濃度の１／３０量
（フコキサンチン定量分析）
褐藻類５ｇを細切し、アセトン５０ｍＬを加え、室温で２回抽出（各２時間）した。抽出液をろ過し、１００ｍＬに定容した。以降の操作は実施例１と同様に行った。
【００４８】
（湿重量測定結果）
【表９】
2009072132.tif 000010
【００４９】
表９に示すように、培養後のホンダワラ藻体重量は、培養前と大きな差は見られなかった。
【００５０】
（フコキサンチン定量分析結果）
【表１０】
2009072132.tif 000011
【００５１】
表１０に示すように、培養後のホンダワラ藻体中のフコキサンチン量は、高施肥量条件で培養することで、培養前の２２〜２８％程度増加した。
上記の実施例３の結果から、オキナワモズク以外のホンダワラなどの褐藻類についても、本発明製法により健康機能性成分高含有褐藻類を製造することが可能であることが示された。
【００５２】
実  施  例  ４
健康機能性成分高含有褐藻類の製造（４）：
沖縄県宜野座沿岸に自生するホンダワラ属海藻を実験藻体とし、その２０ｇを１０００ｍｌの滅菌海水の入った１Ｌフラスコに入れ、以下の条件で１〜５日間培養を行った（各試験区ｎ＝３）。培養後の藻体について実施例１と同様にして湿重量測定、フコキサンチン定量分析を行った。各条件における藻体重量の変化を表１１に、各条件下での培養後のフコキサンチン量を表１２に示した。なお、培養前の藻体のフコキサンチン量は、７３.０±５.９（μｇ／ｇ湿重量、Ｍｅａｎ±Ｓ.Ｄ.）であった。
【００５３】
（培養条件）
培養温度：２３℃（２２.０−２４.１）℃
照度（光合成有効光量子束密度：ＰＰＦＤ）：０μｍｏｌｍ−２ｓ−１（完全遮光）
施肥量：
窒素濃度：３０００μｍｏｌ／Ｌ
リン濃度：窒素の濃度の１／３０量
（フコキサンチン定量分析）
褐藻類５ｇを細切し、アセトン５０ｍＬを加え、室温で２回抽出（各２時間）した。抽出液をろ過し、１００ｍＬに定容した。以降の操作は実施例１と同様に行った。
【００５４】
（湿重量測定結果）
【表１１】
2009072132.tif 000012
【００５５】
表１１に示すように、培養後のホンダワラ藻体重量は、培養前と大きな差は見られなかった。
【００５６】
（フコキサンチン定量分析結果）
【表１２】
2009072132.tif 000013
表１２に示すように、培養後のホンダワラ藻体中のフコキサンチン量は、高施肥量条件で培養することで、培養前の２３〜４０％程度増加した。
【００５７】
上記の実施例４の結果から、光を完全遮光した条件（0μmolm-2s-1）においても、フコキサンチン量が増加し、本発明製法の効果が示された。また、培養日数は１日程度の短期間であっても効果が示された。
【産業上の利用可能性】
【００５８】
本発明によれば、抗酸化作用、抗肥満作用、抗がん作用等を有するフコキサンチン、血中コレステロール低下作用等を有するフコステロール、血圧上昇抑制作用（ＡＣＥ阻害作用）等を有するタンパク質等の健康機能性成分の含有量を著しく高めた褐藻類を簡便かつ効率的に得ることができる。
【００５９】
これらの褐藻類は、上記健康機能性成分の抽出原料や健康食品、化粧品、医薬品等への応用が期待される。
以    上